(57)【要約】【課題】アクセサリ機器の着脱が容易で、アクセサリ機器の不用意な落下を防止し、かつ外観品格も損なわず、小型化も可能な、撮像装置を提供する。【解決手段】アクセサリ機器５３の装着部５３ａを挿入するアクセサリシュー１１の挿入口１１ａに、これを遮蔽／開放するカバー１２を備えたことにより、装着部５３ａを挿入完了した状態において、挿入口１１ａがカバー１２で遮蔽されるので、アクセサリ機器５３の不用意な落下を防止することができる。また、アクセサリ機器５３を装着した状態あるいは装着されていない状態のいずれにおいても挿入口１１ａはカバー１２で遮蔽されているので、外観品格も損なわない。【選択図】図７
2010204323.tif 000002
【特許請求の範囲】
【請求項１】
アクセサリ機器を取り付け可能なアクセサリシューと、
前記アクセサリ機器の装着部を挿入する前記アクセサリシューの挿入口近傍に、前記挿入口を遮蔽／開放すべく配設した開閉扉と、
前記開閉扉を付勢する弾性部材と、を備え、
前記開閉扉は、前記アクセサリ機器の装着部を挿入完了した状態あるいは挿入されていない状態においては前記弾性部材により前記挿入口を遮蔽する
撮像装置。
【請求項２】
前記アクセサリシューは、被写体の方向に対して略直交する方向に前記アクセサリ機器の装着部を挿入するよう、前記挿入口を配置する、
請求項１に記載の撮像装置。
【請求項３】
アクセサリ機器と、前記アクセサリ機器を取り付け可能なアクセサリシューを備えた撮像装置とからなる撮像システムであって、
前記アクセサリ機器の装着部を挿入する前記アクセサリシューの挿入口近傍に、前記挿入口を遮蔽／開放すべく配設した開閉扉と、
前記開閉扉を付勢する弾性部材と、を備え、
前記開閉扉は、前記アクセサリ機器の装着部を挿入完了した状態あるいは挿入されていない状態においては前記弾性部材により前記挿入口を遮蔽する
撮像システム。
【請求項４】
前記アクセサリシューは、被写体の方向に対して略直交する方向に前記アクセサリ機器の装着部を挿入するよう、前記挿入口を配置する
請求項３に記載の撮像システム。
【発明の詳細な説明】
【技術分野】
【０００１】
本発明は、アクセサリ機器を取り付けるアクセサリシューを備えた撮像装置、及び撮像システムに関するものである。
【背景技術】
【０００２】
撮像装置に、フラッシュ装置や、ライト装置、マイク装置等のアクセサリ機器を取り付けるアクセサリシューを備えたものは既に知られている。
【０００３】
例えば、特許文献１には、図１２〜図１４に示すように、電子ビューファインダ（以下、ＥＶＦと略す）５１を操作者側である後方に引き出し自在に構成するとともに、このＥＶＦ５１の前部（被写体側の近傍箇所）に、アクセサリ機器５３を取り付け可能なアクセサリシュー５２を配設した撮像装置５０が開示されている。この撮像装置５０では、ＥＶＦ５１を操作者側に引き出すことで形成される凹部５４（図１４（ｂ）参照）に、アクセサリ機器５３の装着部５３ａを挿入してアクセサリ機器５３を前方にスライドさせることで、アクセサリシュー５２にアクセサリ機器５３の装着部５３ａを挿入、係合させて、アクセサリ機器５３を撮像装置５０に取り付けることができるよう構成している。この種の撮像装置５０では、撮像装置５０の上面部中央位置に、アクセサリシュー５２が配設されている。なお、図１３において、ユーザは、撮像する際には、手を差し入れて撮像装置５０を把持するためのグリップ用ベルト５５と撮像装置５０との間に手を差し入れて、撮像装置５０のグリップ部（撮像装置５０の本体部分における右側面から上面にかけての部分）を把持しながら操作する。アクセサリ機器５３を使用しないときには、アクセサリシュー５２の配設箇所はカバー５６で覆われる。
【０００４】
また、アクセサリ機器を撮像装置に取り付けるためのアクセサリシューの形状に一部工夫を設けた撮像システムも知られている。
【０００５】
例えば、特許文献２には、図１５〜図１６に示すように、板金部材よりなるアクセサリシュー１１７の一部にストッパ片１１７ｄを形成して構成したものがある。
【特許文献１】特開２００５−１９１７００号公報
【特許文献２】特開２００４−２９７３３号公報
【発明の開示】
【発明が解決しようとする課題】
【０００６】
しかしながら、特許文献１に示されているような従来の撮像装置５０では、撮像装置５０の上面部、ＥＶＦ５１の前部にアクセサリシュー５２が配設されているため、アクセサリ機器５３を着脱する際には、その都度ＥＶＦ５１を操作者側に引き出す必要があり、操作性が悪かった。
【０００７】
また、アクセサリ機器５３を挿入してアクセサリシュー５２に締め付け固定するまでの間や、締め付けが緩んだ場合にアクセサリ機器５３が抜け落ちる恐れがあった。
【０００８】
更には、外観品格の低下を補うために設けた、アクセサリシュー５２の配設箇所を覆うカバー５６も着脱する必要があった。
【０００９】
しかも、アクセサリ機器５３の装着部５３ａを挿入する空間を確保するためにＥＶＦ５１を操作者側に引き出す必要があるため、その引き出し機構を設けることで撮像装置５０のコストアップや小型化の障害となっていた。
【００１０】
また、特許文献２に示されているような従来の撮像システムにおいては、図１５に示すように板金部材よりなるアクセサリシュー１１７の一部にストッパ片１１７ｄを形成することにより、締め付けがわずかに緩んだ程度で図１６に示す寸法Ｈよりも寸法Ｌが小さければアクセサリ機器５３が抜け落ちる恐れはなくなる。
【００１１】
しかし、アクセサリ機器５３の装着部５３ａを挿入しただけで、締付リング１０５を締め付ける前の状態においては、寸法Ｈよりも寸法Ｌが大きいため、落下防止の効果はない。
【００１２】
またアクセサリ機器５３の装着部５３ａを挿入する部分が開口していることによる、外観品格の低下も免れないなどの課題があった。
【００１３】
本発明は、上記課題を解決するもので、アクセサリ機器５３の着脱が容易で、アクセサリ機器５３の不用意な落下を防止し、かつ外観品格も損なわず、撮像装置５０の小型化も可能な、撮像装置を提供することを目的とするものである。
【課題を解決するための手段】
【００１４】
上記課題を解決するために本発明の撮像装置は、アクセサリ機器を取り付け可能なアクセサリシューと、前記アクセサリ機器の装着部を挿入する前記アクセサリシューの挿入口近傍に、前記挿入口を遮蔽／開放すべく配設した開閉扉と、前記開閉扉を付勢する弾性部材と、を備え、前記開閉扉は、前記アクセサリ機器の装着部を挿入完了した状態あるいは挿入されていない状態においては前記弾性部材により前記挿入口を遮蔽する。
【００１５】
この構成により、前記アクセサリ機器の装着部を挿入完了した状態において、前記挿入口は開閉扉で遮蔽されるので、アクセサリ機器の不用意な落下を防止することができる。なおかつ、アクセサリ機器の装着部を挿入完了した状態あるいは挿入されていない状態のいずれにおいても前記挿入口は開閉扉で遮蔽されているので、外観品格も損なわない。
【００１６】
また本発明は、前記アクセサリシューは、被写体の方向に対して略直交する方向に前記アクセサリ機器の装着部を挿入するよう、挿入口を配置してもよい。
【００１７】
この構成により、その都度ＥＶＦを操作者側に引き出す必要がなくなるので、アクセサリ機器の着脱が容易であり、なおかつ引き出し機構を設ける必要が無いので撮像装置の小型化やコストダウンもできる。
【発明の効果】
【００１８】
本発明によれば、アクセサリ機器の装着部を挿入完了した状態において、挿入口が開閉扉で遮蔽されるので、アクセサリ機器の不用意な落下を防止することができる。
【００１９】
また、アクセサリ機器の装着部を挿入完了した状態あるいは挿入されていない状態のいずれにおいても前記挿入口は開閉扉で遮蔽されているので、外観品格も損なわない。
【発明を実施するための最良の形態】
【００２０】
以下、本発明の実施の形態に係る撮像装置について、図面を参照しながら説明する。ここで、図１から図４は、本発明の実施の形態に係る撮像装置を操作者側から被写体側に向けて斜めに見た（斜め後方から見た）斜視図を示す。
【００２１】
撮像装置１の後面上部には、撮像画像などを表示するＥＶＦ４が固定配置され、さらに撮像装置１の左側面には、撮像画像や再生画像などを表示できる液晶モニター５を配設している。なお液晶モニター５は、図１および図２に示すように開閉可能に配設されている。
【００２２】
また、図３は液晶モニター５を開いてアクセサリ機器５３を挿入する動作を、図４はアクセサリ機器５３を装着完了した状態を、それぞれ示したものである。
【００２３】
なお、以下の説明においては、基本的に被写体側（図１の紙面における左上）を前方、撮像装置を操作する操作者側（図１の紙面における右下）を後方と称し、被写体側を向いた状態で左となる側（図１の紙面における左下となる方向）を左側と称し、被写体側を向いた状態で右となる側（図１の紙面における右上となる方向）を右側と称す。
【００２４】
図１〜図４において、撮像装置１は、前方（被写体側）に臨ませて撮像レンズ（図示せず）が配設されているとともに、撮像装置１の本体部分には撮像素子や記録媒体等（図示せず）が内蔵されており、撮像情報を記録再生可能に構成されている。
【００２５】
図１〜図４に示すように、アクセサリ機器５３の装着部５３ａを挿入し固定するためのアクセサリシュー１１は、ＥＶＦ４の前方に配設されている。アクセサリシュー１１の左側には、装着部５３ａを挿入する挿入口１１ａが形成されており、さらにその左側には挿入口１１ａを遮蔽／開放する開閉扉であるカバー１２を配設している。
【００２６】
図５はアクセサリシュー１１の周りの構成を示す分解斜視図である。
【００２７】
また図６〜図１１は、アクセサリ機器５３をアクセサリシュー１１に装着する際の動作を示す図であり、図６〜図９は図２に示すＸａ−Ｘａ線における矢視断面図、図１０および図１１は図２に示すＸｂ−Ｘｂ線における矢視断面図を、それぞれ示したものである。
【００２８】
図５〜図９に示すように、カバー１２にはバネ軸１２ａを一体的に形成しており、このバネ軸１２ａには弾性部材である圧縮コイルバネ１３を挿入し、その一端はカバー１２の底面１２ｂに当接させている。これを図５に示すように、アクセサリシュー１１を固定する部品であるシューベース１４に挿入する。シューベース１４にはバネ受け部１４ａを一体的に形成しており、圧縮コイルバネ１３のもう一端を受け、圧縮コイルバネ１３が常に弾性圧縮されるように取り付けられる。アクセサリシュー１１は、シュー固定ビス１５にてシューベース１４に固定される。
【００２９】
このように組み立てられたユニットは、ユニット固定ビス１７にてサイドＲケース１６に取り付けられる。なお、カバー１２には指掛けリブ１２ｃを形成している。
【００３０】
図６〜図１１を使って、以下にアクセサリ機器５３の装着動作を説明する。
【００３１】
図６に示すように、カバー１２は圧縮コイルバネ１３により付勢されて常に押し上げられており、挿入口１１ａはカバー１２で遮蔽されている。
【００３２】
アクセサリ機器５３を装着するには、図６に示すようにその装着部５３ａをカバー１２の天面１２ｄに上方から当ててカバー１２を押し下げるか、あるいは図７に示すように指掛けリブ１２ｃに指を押し当て、カバー１２を下方にスライドさせるかの、いずれかの方法で挿入口１１ａを図１０のように開口させた後、装着部５３ａを左側から挿入する。
【００３３】
図８のように装着部５３ａを右側に向かって当て面１４ｂに当たるまで挿入すると、図９および図１１に示すようにカバー１２が圧縮コイルバネ１３により押し上げられる。これにより、挿入口１１ａはカバー１２で遮蔽され、装着部５３ａが固定される。
【００３４】
上記の構成によれば、装着部５３ａが挿入されると挿入口１１ａが圧縮コイルバネ１３の反力によりカバー１２で自動的に遮蔽されるので、アクセサリ機器５３の不用意な落下を防止することができる。
【００３５】
また、アクセサリ機器５３の装着部５３ａを挿入完了した状態あるいは挿入されていない状態のいずれにおいても挿入口１１ａはカバー１２で遮蔽されているので、外観品格も損なわない。
【００３６】
さらに、アクセサリシュー１１は、被写体の方向に対して略直交する方向にアクセサリ機器５３を挿入するよう、挿入口１１ａを配置したことにより、その都度ＥＶＦ４を操作者側に引き出す必要がなくなるので、アクセサリ機器５３の着脱が容易であり、なおかつ引き出し機構を設ける必要が無いので、撮像装置１の小型化やコストダウンもできる。
【００３７】
なお本実施の形態では、カバー１２の左側を液晶モニター５で覆っているため、アクセサリ機器５３を装着する際には液晶モニター５を開く必要があるが、必ずしもカバー１２の左側を液晶モニター５で覆う構成にする必要はなく、液晶モニター５を閉じていてもカバー１２を下げれば挿入口１１ａが開口する構成であっても構わない。
【００３８】
また本実施の形態では、撮像装置１の左側にカバー１２や挿入口１１ａを配置したが、これらを撮像装置１の右側や前側に配置してアクセサリ機器５３を右側や前側から挿入する構成としても、ＥＶＦ４を引き出す必要がなく同様の効果が得られる。
【産業上の利用可能性】
【００３９】
本発明は、アクセサリ機器を取り付け可能なビデオカメラ、デジタルスチルカメラ等の撮像装置に適用することが可能であり、有用である。
【図面の簡単な説明】
【００４０】
【図１】本発明の一実施の形態に係る撮像装置の斜視図（液晶モニターを閉じた状態）
【図２】本発明の一実施の形態に係る撮像装置の斜視図（液晶モニターを開いた状態）
【図３】本発明の一実施の形態に係る撮像装置にアクセサリ機器を装着する動作を示す斜視図
【図４】本発明の一実施の形態に係る撮像装置にアクセサリ機器を装着した状態を示す斜視図
【図５】本発明の一実施の形態に係る撮像装置のアクセサリシュー周りの構成を示す分解斜視図
【図６】本発明の一実施の形態に係る撮像装置にアクセサリ機器を装着する動作を示す断面図（装着方法その１、図２のＸａ−Ｘａ線矢視断面図）
【図７】本発明の一実施の形態に係る撮像装置にアクセサリ機器を装着する動作を示す断面図（装着方法その２、図２のＸａ−Ｘａ線矢視断面図）
【図８】本発明の一実施の形態に係る撮像装置にアクセサリ機器を挿入した状態を示す断面図（図２のＸａ−Ｘａ線矢視断面図）
【図９】本発明の一実施の形態に係る撮像装置にアクセサリ機器を装着完了した状態を示す断面図（図２のＸａ−Ｘａ線矢視断面図）
【図１０】本発明の一実施の形態に係る撮像装置のカバーを下げた状態を示す断面図（図２のＸｂ−Ｘｂ線矢視断面図）
【図１１】本発明の一実施の形態に係る撮像装置にアクセサリ機器を装着完了した状態を示す断面図（図２のＸｂ−Ｘｂ線矢視断面図）
【図１２】従来の撮像装置の斜視図
【図１３】従来の撮像装置の平面図
【図１４】従来の撮像装置にアクセサリ機器を取り付ける際の工程を示す要部拡大部分切欠側面図
【図１５】従来の撮像装置のアクセサリシューの斜視図
【図１６】従来の撮像装置にアクセサリ機器を取り付ける際の工程を示す要部拡大部分切欠側面図
【符号の説明】
【００４１】
１    撮像装置
４    ＥＶＦ
５    液晶モニター
１１    アクセサリシュー
１２    カバー
１３    圧縮コイルバネ
１４    シューベース
１５    シュー固定ビス
１６    サイドＲケース
１７    ユニット固定ビス
５３    アクセサリ機器
【図１】
2010204323.tif 000003
【図２】
2010204323.tif 000004
【図３】
2010204323.tif 000005
【図４】
2010204323.tif 000006
【図５】
2010204323.tif 000007
【図６】
2010204323.tif 000008
【図７】
2010204323.tif 000009
【図８】
2010204323.tif 000010
【図９】
2010204323.tif 000011
【図１０】
2010204323.tif 000012
【図１１】
2010204323.tif 000013
【図１２】
2010204323.tif 000014
【図１３】
2010204323.tif 000015
【図１４】
2010204323.tif 000016
【図１５】
2010204323.tif 000017
【図１６】
2010204323.tif 000018